(57)【要約】【課題】  何回も画像を送信する場合には、新たに画像をサーバ側へ送信することなく、サーバ側に保存された画像を利用して、画像の送信コストを低減することができる画像送信システムを得る。【解決手段】  サーバ５は、送信元の移動機１から送信された画像データ２、及びこの画像データと共に送信され、画像データにユニークに対応する画像識別情報３を保存し、送信元の移動機１が同じ画像データ２を二回目以降に送信する場合には、画像データ２に替えて画像識別情報３を送信すればよく、サーバ５で、その画像識別情報７を元にして対応する保存画像データ６を識別し、その画像保存先ＵＲＬ８をＵＲＬ情報生成部により生成して送信先の移動機１０へのメールに埋め込んで送信して、画像データ送信のコストを低減する。【選択図】図１
2005223521.tif 000002
【特許請求の範囲】
【請求項１】
画像データを送信する送信元携帯端末、この送信元携帯端末から送信された上記画像データを保存すると共に、上記画像データを送信先へ送信するサーバを備え、上記送信元携帯端末は、上記画像データとこの画像データに対応した画像識別情報、または画像識別情報を上記サーバへ送信し、上記サーバは、上記送信元携帯端末から上記画像データと画像識別情報が送信された場合、上記画像データを上記画像識別情報に対応付けて保存すると共に、上記画像データの情報を送信元へ送信し、上記送信元携帯端末から上記画像識別情報が送信された場合、保存している上記画像データ中から上記画像識別情報に対応する画像データの情報を読出して送信先へ送信することを特徴とする画像送信システム。
【請求項２】
上記サーバ及び上記送信元携帯端末は、画像加工番号及びこの画像加工番号に対応した画像データの加工処理内容を格納した同一の画像加工テーブルを有し、上記サーバは、上記送信元携帯端末により送信される画像加工番号に応じて画像データを加工処理する画像加工処理部を備えたことを特徴とする請求項１記載の画像送信システム。
【請求項３】
送信元携帯端末から画像データと画像識別情報が送信された場合、上記画像データを上記画像識別情報に対応付けて保存すると共に、上記画像データの情報を送信元へ送信し、上記送信元携帯端末から上記画像識別情報が送信された場合、保存している上記画像データ中から上記画像識別情報に対応する画像データの情報を読出して送信先へ送信することを特徴とする画像送信サーバ。
【請求項４】
画像加工番号及びこの画像加工番号に対応した画像データの加工処理内容を格納した上記送信元携帯端末と同一の画像加工テーブルを有し、上記送信元携帯端末により送信される画像加工番号に応じて画像データを加工処理する画像加工処理部を備えたことを特徴とする請求項３記載の画像送信サーバ。
【請求項５】
送信元携帯端末から送信された画像データまたは送信元携帯端末から送信された画像識別情報に対応する画像データの情報を送信先へ送信する画像送信サーバにアクセス可能な携帯端末であって、操作部の指示に基づいて上記画像データとこの画像データに対応した画像識別情報、または画像識別情報を送信部を介して上記画像送信サーバへ送信することを特徴とする携帯端末。
【発明の詳細な説明】
【技術分野】
【０００１】
この発明は、携帯端末を用いて画像を送信する画像送信システム、及び携帯端末による画像送信を行う画像送信サーバ、並びに画像送信を行う携帯端末に関するものである。
【背景技術】
【０００２】
従来、携帯電話から画像をメールで送信する際、同じ画像を送信する場合でも、送信の都度、画像をサーバ側へ送信する必要性があった。それには非常に高い通信料と時間を要するため、ユーザの大きなストレスの原因となっていた。
また、原画像に画像処理を施して送信する場合、携帯電話側で予め画像処理を施した後、サーバ側へ画像を送信する必要があり、ＣＰＵパフォーマンスやＲＯＭ、ＲＡＭに大きな制限がある携帯電話上でＰＣ（パソコン）と同等の画像処理を実施するのは困難であった。
特許文献１では、ファクシミリから携帯電話へ画像を送信する際、サーバ側で画像を保存し、保存先ＵＲＬ（Ｕｎｉｆｏｒｍ  Ｒｅｓｏｕｒｃｅ  Ｌｏｃａｔｏｒ）を携帯電話へ送信する手段について述べており、画像送信の際、複数の宛先に画像を送信する手段が講じられている。
【０００３】
【特許文献１】特開２００２−３４４６５３号公報（第４〜９頁、図１）
【発明の開示】
【発明が解決しようとする課題】
【０００４】
従来の携帯電話から画像を送信する場合には、そのつど、サーバ側へその画像を送信する必要があり、ＣＰＵパフォーマンスやＲＯＭ、ＲＡＭに大きな制限がある携帯電話では、負担が大きかった。通信量により通信コストが決定される場合には、ユーザの通信コスト負担が大きくなる。
特許文献１においても、画像を送信する際に複数の宛先を予め設定する必要があり、一度送信した後、改めて画像を送信する場合は、再度の画像送信が必要であった。
【０００５】
この発明は、上述のような課題を解決するためになされたものであり、何回も画像を送信する場合には、新たに画像をサーバ側へ送信することなく、サーバ側に保存された画像を利用するようにして、携帯端末の負担及びユーザの通信コストを低減することができる画像送信システムを得ることを第一の目的にしている。
また、携帯端末からの画像送信を繰り返し送信する場合には、保存した画像を送信することで携帯端末の負担及びユーザの通信コストを低減する画像送信サーバを得ることを第二の目的にしている。
また、繰り返し画像を送信する場合には、画像識別情報だけを送信し、サーバに保存した画像を送信先に送信するようにして携帯端末の負担を低減し、ユーザの通信コストを低減する携帯端末を得ることを第三の目的にしている。
【課題を解決するための手段】
【０００６】
この発明に係わる画像送信システムにおいては、画像データを送信する送信元携帯端末、この送信元携帯端末から送信された画像データを保存すると共に、画像データを送信先へ送信するサーバを備え、送信元携帯端末は、画像データとこの画像データに対応した画像識別情報、または画像識別情報をサーバへ送信し、サーバは、送信元携帯端末から画像データと画像識別情報が送信された場合、画像データを画像識別情報に対応付けて保存すると共に、画像データの情報を送信元へ送信し、送信元携帯端末から画像識別情報が送信された場合、保存している画像データ中から画像識別情報に対応する画像データの情報を読出して送信先へ送信するものである。
また、この発明に係わる画像送信サーバにおいては、送信元携帯端末から画像データと画像識別情報が送信された場合、画像データを画像識別情報に対応付けて保存すると共に、画像データの情報を送信元へ送信し、送信元携帯端末から画像識別情報が送信された場合、保存している画像データ中から画像識別情報に対応する画像データの情報を読出して送信先へ送信するものである。
また、この発明に係わる携帯端末においては、送信元携帯端末から送信された画像データまたは送信元携帯端末から送信された画像識別情報に対応する画像データの情報を送信先へ送信する画像送信サーバにアクセス可能な携帯端末であって、操作部の指示に基づいて画像データとこの画像データに対応した画像識別情報、または画像識別情報を送信部を介して画像送信サーバへ送信するものである。
【発明の効果】
【０００７】
この発明は、以上説明したように、画像データを送信する送信元携帯端末、この送信元携帯端末から送信された画像データを保存すると共に、画像データを送信先へ送信するサーバを備え、送信元携帯端末は、画像データとこの画像データに対応した画像識別情報、または画像識別情報をサーバへ送信し、サーバは、送信元携帯端末から画像データと画像識別情報が送信された場合、画像データを画像識別情報に対応付けて保存すると共に、画像データの情報を送信元へ送信し、送信元携帯端末から画像識別情報が送信された場合、保存している画像データ中から画像識別情報に対応する画像データの情報を読出して送信先へ送信するので、送信元携帯端末から再度の画像送信の際には、新たに画像データをサーバ側へ送信することなく、サーバ側に保存された画像を利用することで、携帯端末の負担及びユーザの通信コストを大幅に低減することができる。
また、送信元携帯端末から画像データと画像識別情報が送信された場合、画像データを画像識別情報に対応付けて保存すると共に、画像データの情報を送信元へ送信し、送信元携帯端末から画像識別情報が送信された場合、保存している画像データ中から画像識別情報に対応する画像データの情報を読出して送信先へ送信するので、送信元携帯端末から再度の画像送信の際には、送信元携帯端末は新たに画像データを送信することなく、保存された画像を利用することで、携帯端末の負担及びユーザの通信コストを大幅に低減することができる。
また、送信元携帯端末から送信された画像データまたは送信元携帯端末から送信された画像識別情報に対応する画像データの情報を送信先へ送信する画像送信サーバにアクセス可能な携帯端末であって、操作部の指示に基づいて画像データとこの画像データに対応した画像識別情報、または画像識別情報を送信部を介して画像送信サーバへ送信するので、携帯端末から再度の画像送信の際には、新たに画像データを送信する必要がなく、画像識別情報だけを送信すればよく、画像送信サーバに保存された画像データを利用することで、携帯端末の負担及びユーザの通信コストを大幅に低減することができる。
【発明を実施するための最良の形態】
【０００８】
実施の形態１．
図１は、この発明の実施の形態１による画像送信システムを示す全体構成図である。
図１において、画像送信機能付き携帯電話である移動機１（送信元携帯端末）は、送信元の移動機であり、送信する画像データ２と、この画像データ２にユニークに対応し、画像データ２を識別する画像識別情報３と、加工番号に対応した画像の加工内容を格納した画像加工テーブル４とを有している。移動機１０は、画像を受信する送信先の移動機である。ネットワークサーバ５（画像送信サーバ）は、移動機１から送信された画像データ６と、画像識別情報３と内容が一致した画像識別情報７と、画像加工テーブル４と内容が一致した画像加工テーブル９と、画像データ６を保存する保存先のＵＲＬである画像保存先ＵＲＬ８とを有している。
【０００９】
図２は、この発明の実施の形態１による画像送信システムのサーバを示すブロック図である。
図２において、５、９は図１におけるものと同一のものである。画像管理テーブル１１は、画像データ６を管理するテーブルであり、画像識別情報管理テーブル１２は、画像識別情報７を管理するテーブルであり、画像保存先ＵＲＬ管理テーブル１３は、画像保存先ＵＲＬ８を管理するテーブルである。さらにサーバ５は、サーバ５の全体を制御する制御部１４、移動機１、１０との通信を行う通信部１５、ＵＲＬ情報を生成するＵＲＬ情報生成部１６および画像加工テーブル９の各加工番号に応じて画像を加工する画像変換エンジン部１７（画像加工処理部）を有している。
【００１０】
図３は、この発明の実施の形態１による画像送信システムの移動機を示すブロック図である。
図３において、１、４は図１におけるものと同一のものである。図３の移動機は、画像識別情報３を管理する画像識別情報管理テーブル２０を有し、画像識別情報３を移動機１側で生成し、生成された画像識別情報３は、ファイル名や画像のヘッダ部に付加される。移動機１は、この他、通常の携帯電話と同様に、テンキー及び機能キーなどの操作部２１、アンテナ２２、アンテナ２２に接続された無線部２３、及び無線部２３や操作部２１に接続され、さらに表示部２５、受話部２６、送話部２７、ＲＯＭ２８、ＲＡＭ２９に接続され、通話の制御など移動機全体の制御を行う制御部２４を有している。
【００１１】
図４は、この発明の実施の形態１による画像送信システムの画像加工テーブルを示す図である。
図４において、左側の数字は、画像加工番号である。
図５は、この発明の実施の形態１による画像送信システムの画像メール送信フォーマットを示す図である。
図６は、この発明の実施の形態１による画像送信システムの画像メール送信フォーマットの具体例を示す図である。
図７は、この発明の実施の形態１による画像送信システムの受信メールフォーマットを示す全体図である。
【００１２】
次に、動作について説明する。
画像送信機能付き携帯電話である移動機１からネットワークサーバ５に対して、初回画像送信時は原画像２と送信する相手先携帯電話１０のメールアドレスを、２回目以降の画像送信時は画像毎にユニークに割り当てられた画像識別情報３と送信相手先メールアドレスを送信情報として送信する。サーバ５側に送信された画像は、画像データ６、画像識別情報７としてサーバ側に保存される。また、画像保存先ＵＲＬ８もサーバ５により作成され、あわせてサーバ５側で管理される。このとき、移動機１側の画像識別情報３とネットワークサーバ５側の画像識別情報７は、内容が完全に一致している状態である。
【００１３】
サーバ５側で画像保存先ＵＲＬ８が生成されると、次はサーバ５側からメールの送信先移動機１０に対してメールが送信される。このとき、メール本文内には、サーバ５側で保存されている画像保存先ＵＲＬ８が本文データ内に埋め込まれた状態で送信される。
【００１４】
送信側移動機１とネットワークサーバ５側は、画像識別情報３、７と同様にどちらも画像加工テーブル４、９が完全一致された状態で管理されている。完全に一致したこの画像加工テーブル４、９の情報をもとに、移動機１側では処理が困難な画像加工について、加工したい番号をサーバ５側に指定するだけで、サーバ５側で画像加工することが可能となる。画像加工テーブル４、９の詳細例は図４に示す。この画像加工機能は単に一つの画像に対して単一の加工をするのみでなく、拡大／縮小の加工番号とともに拡大／縮小率を定義することで、サーバ５側で拡大／縮小機能を実現する。また、インデックスの加工番号とともに、インデックス化したい画像識別情報を複数指定することで、サーバ５側で複数画像のインデックス化をすることも可能となる。
【００１５】
さらに、この画像加工処理は、サーバ５側で実装される機能のため、移動機１側とサーバ５側の画像加工テーブル４、９の情報さえ一致していれば、後から画像加工テーブルに新しい加工処理を追加しても、新たな画像加工処理をサーバ５側で実現することが可能となる。このとき、サーバ５側の画像加工テーブル９と移動機１側の画像加工テーブル４は、内容が完全一致している必要がある。
【００１６】
図５に移動機１からサーバ５に対する画像送信フォーマットの例を示し、さらにその具体的な値の入った例を図６に示す。図６に示すとおり、画像データの初回送信時は、移動機１側からサーバ５側へ原画像を送信する必要がある。２回目以降に同様の画像を送信する場合は、移動機１側とサーバ５側でユニークに管理されたテキスト形式の画像識別情報を送信するだけで、相手先移動機１０に同様の画像を送信することができ、通信コスト、通信時間を削減することが可能となる。
一方、サーバ５側から相手先移動機１０に対しては、図７に示されるメール本文フォーマットの例のとおり、予めサーバ５側で処理された後の画像のＵＲＬ情報がメール本文内に埋め込まれた状態で送信される。移動機１０では、このＵＲＬ情報を用いて画像データにアクセスすることができる。
【００１７】
実施の形態１によれば、移動機から他の移動機へ画像送信を行う場合に、二回目以降の画像送信時には移動機からサーバに画像送信に替えて画像識別情報を送信すればよいので、画像メールの送信コストを大幅に低減することができる。
また、画像の加工をサーバで行うようにしたので、移動機側では処理を施す画像と画像加工番号を指定することにより、サーバ側で複雑な処理をした画像を任意の宛先に画像送信することができる。
【図面の簡単な説明】
【００１８】
【図１】この発明の実施の形態１による画像送信システムを示す全体構成図である。
【図２】この発明の実施の形態１による画像送信システムのサーバを示すブロック図である。
【図３】この発明の実施の形態１による画像送信システムの移動機を示すブロック図である。
【図４】この発明の実施の形態１による画像送信システムの画像加工テーブルを示す図である。
【図５】この発明の実施の形態１による画像送信システムの画像メール送信フォーマットを示す図である。
【図６】この発明の実施の形態１による画像送信システムの画像メール送信フォーマットの具体例を示す図である。
【図７】この発明の実施の形態１による画像送信システムの受信メールフォーマットを示す全体図である。
【符号の説明】
【００１９】
１  移動機
２  画像データ
３  画像識別情報
４  画像加工テーブル
５  サーバ
６  画像データ
７  画像識別情報
８  画像保存先ＵＲＬ
９  画像加工テーブル
１０  移動機
１１  画像管理テーブル
１２  画像識別情報管理テーブル
１３  画像保存先ＵＲＬ管理テーブル
１４  制御部
１５  通信部
１６  ＵＲＬ情報生成部
１７  画像変換エンジン部
２０  画像識別情報管理テーブル
２１  操作部２１
２２  アンテナ
２３  無線部
２４  制御部
２５  表示部
２６  受話部
２７  送話部
２８  ＲＯＭ
２９  ＲＡＭ
【図１】
2005223521.tif 000003
【図２】
2005223521.tif 000004
【図３】
2005223521.tif 000005
【図４】
2005223521.tif 000006
【図５】
2005223521.tif 000007
【図６】
2005223521.tif 000008
【図７】
2005223521.tif 000009